(57)【特許請求の範囲】
【請求項１】
前方に開放する開口部(14a)を有する断熱箱体(14)と、該箱体(14)に前後の関係で夫々スライド自在に配設されて、前記開口部(14a)を開閉する前扉(20)および後扉(21)と、前記断熱箱体(14)の内部に配設した遮蔽部材(31)を介して上下の関係で画成される収納室(22)および冷却室(25)と、前記冷却室(25)に配設された冷却器(23)および庫内ファン(24)とを備え、前記庫内ファン(24)の回転により、収納室(22)から冷却室(25)に吸込んた空気を冷却器(23)で熱交換した後に収納室(22)に吹出して循環させる冷蔵庫において、
前記冷却器(23)を、前記開口部(14a)を閉成している前扉(20)側に偏って配置した
ことを特徴とする冷蔵庫。
【請求項２】
前記遮蔽部材(31)に、前記開口部(14a)を閉成している前扉(20)側に偏って吸込口(31e)を設けた請求項１記載の冷蔵庫。
【発明の詳細な説明】
【０００１】
【発明の属する技術分野】
この発明は、冷蔵庫に関し、更に詳細には、断熱箱体に内部画成した収納室を冷却する冷却器を、断熱箱体の開口部を開閉自在に閉成する前扉側に偏って配置して、冷却効率を向上させるようにした冷蔵庫に関するものである。
【０００２】
【従来の技術】
食料品店やコンビニエンスストア等で、食品や飲料品等を冷蔵状態で収納して陳列する冷蔵ショーケース(冷蔵庫)が好適に使用されている。この冷蔵ショーケースは、内装と外装との間にウレタン等の発泡断熱材を充填してなる断熱箱体の内部に、食品や飲料品等の陳列品を収納する収納室と、冷凍機構から冷媒が循環供給される冷却器および庫内ファンが収納される冷却室とが、遮蔽板を介して上下の関係で画成されている。遮蔽板には、収納室と冷却室とを連通する吸込口が前側に形成されると共に、後側には吹出口が形成されており、庫内ファンを回転することにより、遮蔽板の吸込口から冷却室に吸込んだ室内空気を、前記冷却器に接触して冷気とした後、遮蔽板の吹出口を介して収納室に吹出して該収納室を冷却するよう構成してある。
【０００３】
また前記断熱箱体の前部には、前方に開放する矩形状の開口部が開設され、この開口部の内周上部および下部に上レールおよび下レールが配設され、両レール間に前後の関係で前扉および後扉がスライド自在に配設され、両扉により開口部を開閉するよう構成される。なお、前記収納室には棚網が上下に多段的に配設され、該棚網上に陳列品を載置するようになっている。
【０００４】
【発明が解決しようとする課題】
前記冷蔵ショーケースでは、収納室に多くの陳列品を収納するために、前記棚網の前端を、室内側に位置する後扉に近接させて配設している。この場合において、該棚網の前端付近まで陳列品を載置すると、該陳列品により冷気通路が遮られ、前記遮蔽板の前側に形成した吸込口から冷却室への空気の効率的な吸込みが阻害される。但し、室外側に位置する前扉の後側(室内側)には、前記後扉のスライドを許容する空間はあるが、前記冷却器や吸込口は断熱箱体の幅方向の略中央に配置されていたため、該空間からの吸込み効率は充分でなかった。
【０００５】
【発明の目的】
本発明は、前述した従来の技術に内在している前記欠点に鑑み、これを好適に解決するべく提案されたものであって、断熱箱体の開口部を閉成している前扉側に冷却器を偏って配置することで、該冷却器での冷却効率を向上させるようにした冷蔵庫を提供することを目的とする。
【０００６】
【課題を解決するための手段】
前記課題を克服し、所期の目的を達成するため、本発明に係る冷蔵庫は、
前方に開放する開口部を有する断熱箱体と、該箱体に前後の関係で夫々スライド自在に配設されて、前記開口部を開閉する前扉および後扉と、前記断熱箱体の内部に配設した遮蔽部材を介して上下の関係で画成される収納室および冷却室と、前記冷却室に配設された冷却器および庫内ファンとを備え、前記庫内ファンの回転により、収納室から冷却室に吸込んた空気を冷却器で熱交換した後に収納室に吹出して循環させる冷蔵庫において、
前記冷却器を、前記開口部を閉成している前扉側に偏って配置したことを特徴とする。
【０００７】
【発明の実施の形態】
次に、本発明に係る冷蔵庫につき、好適な実施例を挙げて、添付図面を参照しながら以下説明する。図２および図３に示す如く、実施例に係る冷蔵庫としての冷蔵ショーケース１０は、内装と外装との間にウレタン等の発泡断熱材を充填してなる断熱箱体１４と、該箱体１４が載置されるシャーシ１５から基本的に構成される。また、シャーシ１５の内部に画成した機械室１６には、冷凍機構１７が収納されている。前記断熱箱体１４の前部には、前方に開放する矩形状の開口部１４ａが形成され、該開口部１４ａの内周上部および下部には、その幅方向(左右方向)の全長に亘って合成樹脂製の上レール１８および下レール１９が対応的に配設される。そして、両レール１８,１９間に、前後の関係で前扉２０と後扉２１とが夫々幅方向にスライド自在に支持されて、開口部１４ａを開閉し得るよう構成してある。前扉２０および後扉２１の幅寸法は、開口部１４ａの幅寸法より所定長さだけ長く設定され、両扉２０,２１で開口部１４ａを閉成した状態で、両扉２０,２１の幅方向一側部が、断熱箱体１４の幅方向略中央で重なるようになっている。この両扉２０,２１による開口部１４ａの閉成状態で、室外側に位置する前扉２０の内側(室内側)には、後扉２１のスライドを許容する空間が確保されるよう構成してある。なお、実施例の冷蔵ショーケース１０では、開口部１４ａの正面右側半分を前扉２０で閉成すると共に、左側半分を後扉２１で閉成するよう設定してある。
【０００８】
前記断熱箱体１４の内部には、図３に示すように、後述する第１遮蔽板(遮蔽部材)３１を介して、上方に食品や飲料品等を冷蔵するための収納室２２が画成されると共に、下方に前記冷凍機構１７から冷媒が循環供給される冷却器２３および冷気循環用の庫内ファン２４が配設される冷却室２５が画成される。収納室２２には、食品や飲料品等の陳列品を整然と整列載置するための複数の棚網３４が、断熱箱体１４の内部における幅方向の両内側面に形成した支持段部３５,３５を介して多段的に配設されている。この棚網３４の後端部には、上方に所定高さで立上がって幅方向の全長に亘って延在するストッパ３８が配設されており、該ストッパ３８は、棚網３４に載置された陳列品の後方への移動を規制して、陳列品と断熱箱体１４の内後面との間に後部冷気通路Ｗを確保するべく機能する。なお、支持段部３５,３５間に載置された棚網３４の前端は、図３に示す如く、前記室内側に位置する後扉２１の後面に近接するよう設定され、該棚網３４上に多くの陳列品を載置し得るよう構成してある。
【０００９】
前記断熱箱体１４の内底面には、図１に示す如く、前記冷却器２３が、断熱箱体１４の幅方向中央に対して前記開口部１４ａを閉成している状態の前扉２０側(図では右側)に偏った位置に配置されている。この冷却器２３は、その空気吸込側を前側に向けると共に、空気吹出側を後側に向けた姿勢で配置される。また、断熱箱体１４の冷却室２５を画成して対向する左右の両内側面の後部側に、前記前扉２０に偏った位置に配置されている冷却器２３の対応する左右の側面後部近傍まで延出する後突部２６,２６が一体的に形成され、冷却器２３の吹出側(後面側)に吹出用空間Ｓ1を画成している。そして、この吹出用空間Ｓ1に、前記庫内ファン２４が、前側から吸込んだ空気(冷気)を後側に向けて吹出す姿勢で取付部材２７を介して配設され、冷却器２３と接触して熱交換した冷気を、吹出用空間Ｓ1から収納室２２に吹出すよう構成してある。なお、庫内ファン２４は、断熱箱体１４の幅方向中央に位置するよう配設され、前記収納室２２への冷気の吹出しが左右に偏らないようになっている。
【００１０】
前記断熱箱体１４の両内側面には、前記後突部２６,２６の内部側への突出寸法より短かい所定長さだけ内部側に突出する前突部２８,２８が、後突部２６,２６の前側から前方に所定長さで延在するよう一体に連設されている。前記後突部２６および前突部２８の上面は、前記冷却器２３の上面に配設された断熱部材３０の上面と略同一レベルとなるよう設定されており、これら突部２６,２６,２８,２８間に前記第１遮蔽板３１が着脱自在に載置される。また前突部２８,２８の前端は、断熱箱体１４の前端よりも所定長さだけ後側に位置するよう設定されている。なお、前述したように前記冷却器２３は右側に偏って配置されているから、左側の前突部２８と冷却器２３との間には充分な空間が画成されており、この空間に冷却器２３の配管３６や配線３７等が纏めて配設されている。
【００１１】
前記第１遮蔽板３１は、図６および図７に示す如く、矩形状の平板部３１ａと、該平板部３１ａの前端に下方に向けて直角に折曲形成された垂直部３１ｂと、平板部３１ａの後端に形成されて複数の吹出口３１ｃが穿設された水平突部３１ｄとから基本的に構成される。そして第１遮蔽板３１は、平板部３１ａの左右両端縁部が、前記前後の段部２６,２８の上面に載置されて(図４参照)、収納室２２と冷却室２５とを画成するようになっている。また第１遮蔽板３１の垂直部３１ｂは、図３および図５に示す如く、前記前突部２８,２８の前端に沿って折曲されて内底面まで延在するよう設定され、該垂直部３１ｂと前後の扉２０,２１との間に吸込用空間Ｓ2を画成している。この垂直部３１ｂには、前記開口部１４ａを閉成している状態の前扉２０側へ偏った位置に、複数の吸込口３１ｅが穿設されており(図７参照)、第１遮蔽板３１により画成された冷却室２５と吸込用空間Ｓ2とは該吸込口３１ｅを介して連通するよう構成される。
【００１２】
前記吸込用空間Ｓ2の上部は、第２遮蔽板３２により閉成されるようになっている。この第２遮蔽板３２は、吸込用空間Ｓ2の上部を略覆い得る矩形状の平板部３２ａと、該平板部３２ａの前端に下方前側に向けて斜めに折曲形成された傾斜部３２ｂと、平板部３２ａの後端に下方に向けて直角に折曲形成された垂直部３２ｃとから基本的に構成される。そして、傾斜部３２ｂの開放端を、前記下レール１９の後面に形成した受部１９ａに載置すると共に、垂直部３２ｃに形成した複数の切欠部３２ｄを、第１遮蔽板３１の垂直部３１ｂに設けた対応する係合突起３３に係合することで(図２参照)、当該第２遮蔽板３２は平板部３２ａを第１遮蔽板３１の平板部３１ａと略同一レべルとした状態で配設される。また第２遮蔽板３２の平板部３２ａには、その略全面に亘って複数の吸込口３２ｅが穿設されており(図４参照)、収納室２２内の空気は、第２遮蔽板３２の吸込口３２ｅ、吸込用空間Ｓ2および第１遮蔽板３１の吸込口３１ｅを介して冷却室２５に流れ込むよう構成される。
【００１３】
【実施例の作用】
次に、実施例に係る冷蔵ショーケースの作用につき説明する。前記庫内ファン２４を回転すると、前記収納室２２の前部側の空気は、前記第２遮蔽板３２の吸込口３２ｅから吸込用空間Ｓ2に吸込まれた後、第１遮蔽板３１の吸込口３１ｅから冷却室２５に吸込まれる。この空気は、前記冷凍機構１７により冷却されている冷却器２３に接触して冷却された後、前記吹出用空間Ｓ1から第１遮蔽板３１の吹出口３１ｃを介して収納室２２の後部側に吹出される。室内後部側に吹出された冷気は、前記棚網３４のストッパ３８と内後面との間に画成された後部冷気通路Ｗを介して上昇し、棚網３４に載置されている陳列品を冷却する。また天井面に沿って前方に流れた冷気は、前記前扉２０および後扉２１の後面に沿って下方に流れた後に、再び前記吸込口３２ｅ,３１ｅを介して冷却室２５に戻るサイクルを反復する。
【００１４】
ここで、前記棚網３４上に前端まで陳列品が載置されると、前記両扉２０,２１の後面に沿って下降する空気の流れが遮られる。但し、前扉２０の後面と棚網３４の前端との間には、後扉２１のスライドを許容する幅で空間が画成されているので、該空間を介して空気の流れは許容される。実施例の冷蔵ショーケース１０では、前記第１遮蔽板３１の吸込口３１ｅおよび冷却器２３が、開口部１４ａを閉成した状態の前扉２０側に偏って位置しているから、該前扉２０の後面に沿って流下する空気を効率的に前記冷却室２５に吸込むことができると共に、該空気を冷却器２３で効率的に冷却し得る。また前記庫内ファン２４は、断熱箱体１４の幅方向中央に配置されているから、冷却器２３で冷却された冷気が、前記収納室２２内に左右(幅方向)に偏って吹出されることはなく、該収納室２２の全体を均一に冷却することができる。
【００１５】
また、前記冷却室２５内において冷却器２３は右側に偏って配置されているから、左側の前突部２８と冷却器２３との間には充分な空間を画成することができ、この空間に冷却器２３の配管３６や配線３７等を纏めて配設し得る。
【００１６】
なお、実施例では断熱箱体の内部において、収納室が上側で冷却室が下側に画成された場合で説明したが、収納室を下側で冷却室を上側に画成したものであってもよい。また冷気の流れに関しては、実施例のように後側から前側に流れる構成とは逆に、前側から後側に流れる構成としてもよい。そして、この場合には、冷却器の空気吹出側に、収納室内において空気の流れを許容する空間が臨むことで、冷却器からの冷気の吹出しは抵抗なく効率的に達成され、収納室を効率的に冷却し得る。
【００１７】
【発明の効果】
以上説明した如く、本発明に係る冷蔵庫によれば、後側に後扉のスライドを許容する空間が画成される前扉側に冷却器を偏って配置したから、冷却器の吸込み効率を向上することができる。すなわち、収納室内において後扉の後面まで陳列物が収納されていても、前扉の後側には空気の循環を許容する空間が確保されているから、冷却器への空気吸込みまたは冷気吹出しを抵抗なく行なうことができ、冷却器の冷却効率を向上し得る。また、収納室と冷却室とを画成する遮蔽部材に、断熱箱体の開口部を閉成している前扉側に偏って吸込口を形成し、収納室内の空気を前側から冷却室内に吸込むよう構成した場合は、前扉の後側に確保された空間を介して冷却室へ空気が効率的に吸込まれ、前記冷却器での冷却効率が向上する。
【図面の簡単な説明】
【図１】 本発明の実施例に係る冷蔵ショーケースの横断平面図である。
【図２】 実施例の冷蔵ショーケースを一部切欠いて示す正面図である。
【図３】 実施例の冷蔵ショーケースを一部縦断して示す側面図である。
【図４】 実施例の冷蔵ショーケースを遮蔽板および棚網を一部切欠いて示す横断平面図である。
【図５】 実施例の冷蔵ショーケースにおける冷却室を示す要部縦断側面図である。
【図６】 実施例の第１遮蔽板を示す平面図である。
【図７】 実施例の第１遮蔽板を示す正面図である。
【符号の説明】
１４ 断熱箱体，１４ａ 開口部，２０ 前扉，２１ 後扉，２２ 収納室
２３ 冷却器，２４ 庫内ファン，２５ 冷却室，３１ 第１遮蔽板(遮蔽部材)
３１ｅ 吸込口
【図１】
0004031883.tif 000002
【図２】
0004031883.tif 000003
【図３】
0004031883.tif 000004
【図４】
0004031883.tif 000005
【図５】
0004031883.tif 000006
【図６】
0004031883.tif 000007
【図７】
0004031883.tif 000008